(57)【特許請求の範囲】
【請求項１】
携帯端末装置からのユーザーの識別を要しない接続要求を契機として、前記携帯端末装置に１回または複数回にわたって認証情報を要求する認証情報要求手段と、
前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、
ユーザー識別用の第２の照合用データと認証情報を比較照合することにより、ユーザーに対する自装置の利用可否を判断するための第２の認証を行う第２の認証手段と、
前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、
を備え、
前記携帯端末装置からの認証情報に対する前記第１の認証手段による第１の認証が失敗したときに、前記制御手段は、前記第２の認証手段に前記認証情報に対する第２の認証を実行させることを特徴とする画像処理装置。
【請求項２】
携帯端末装置からのユーザーの識別を要しない接続要求を契機として、前記携帯端末装置に１回または複数回にわたって認証情報を要求する認証情報要求手段と、
前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、
ユーザー識別用の第２の照合用データと認証情報を比較照合することにより、ユーザーに対する自装置の利用可否を判断するための第２の認証を行う第２の認証手段と、
前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、
を備え、
前記第１の認証手段が無効状態であるときに、前記制御手段は、前記第２の認証手段に前記認証情報に対する第２の認証を実行させることを特徴とする画像処理装置。
【請求項３】
前記認証情報に対する第１の認証手段による第１の認証の成功後に、前記認証情報要求手段は次の認証情報を前記携帯端末装置に要求し、
前記制御手段は、前記携帯端末装置から送信された前記次の認証情報に対して前記第２の認証手段による第２の認証を実行させる請求項１または２に記載の画像処理装置。
【請求項４】
携帯端末装置からのユーザーの識別を要しない接続要求を契機として、前記携帯端末装置に１回または複数回にわたって認証情報を要求する認証情報要求手段と、
前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、
ユーザー識別用の第２の照合用データと認証情報を比較照合することにより、ユーザーに対する自装置の利用可否を判断するための第２の認証を行う第２の認証手段と、
前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、
を備え、
前記認証情報に対する第１の認証手段による第１の認証の成功後に、前記認証情報要求手段は次の認証情報を前記携帯端末装置に要求し、
前記制御手段は、前記携帯端末装置から送信された前記次の認証情報に対して前記第２の認証手段による第２の認証を実行させ、
前記第２の認証手段による複数の種別の第２の認証が必要とされる場合、前記認証情報要求手段は第２の認証手段による１つの種別の認証の終了後に、次の種別の認証を行うための認証情報を前記携帯端末装置に要求することを特徴とする画像処理装置。
【請求項５】
前記携帯端末装置からの接続要求は特定のプロトコルによって行われ、前記第１の認証手段による第１の認証は、前記特定のプロトコルによる認証情報に対して行われる請求項１〜４の何れかに記載の画像処理装置。
【請求項６】
携帯端末装置からのユーザーの識別を要しない接続要求を契機として、前記携帯端末装置に１回または複数回にわたって認証情報を要求する認証情報要求手段と、
前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、
ユーザー識別用の第２の照合用データと認証情報を比較照合することにより、ユーザーに対する自装置の利用可否を判断するための第２の認証を行う第２の認証手段と、
前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、
を備え、
複数のプロトコルにより前記携帯端末装置との接続が可能であるとともに、前記複数のプロトコルのうちの特定のプロトコルによる接続時にのみ、前記制御手段は前記第２の認証手段に第２の認証を実行させることを特徴とする画像処理装置。
【請求項７】
携帯端末装置からのユーザーの識別を要しない接続要求を契機として、前記携帯端末装置に１回または複数回にわたって認証情報を要求する認証情報要求手段と、
前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、
ユーザー識別用の第２の照合用データと認証情報を比較照合することにより、ユーザーに対する自装置の利用可否を判断するための第２の認証を行う第２の認証手段と、
前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、
を備え、
前記第２の認証手段は、予め設定された規則に基づいて複数の単位認証情報が結合された１つの認証情報から前記各単位認証情報を抽出し、該抽出された各単位認証情報に基づいて異なる種別の認証を行うことを特徴とする画像処理装置。
【請求項８】
携帯端末装置からのユーザーの識別を要しない接続要求を契機として、前記携帯端末装置に１回または複数回にわたって認証情報を要求する認証情報要求手段と、
前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、
ユーザー識別用の第２の照合用データと認証情報を比較照合することにより、ユーザーに対する自装置の利用可否を判断するための第２の認証を行う第２の認証手段と、
前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、
を備え、
前記第２の認証手段は、予め設定された規則に基づいて認証種別情報と単位認証情報が結合された１つの認証情報から、前記認証種別情報と単位認証情報を抽出し、該抽出された認証種別情報で示される種別の認証を、前記抽出された単位認証情報に基づいて行うことを特徴とする画像処理装置。
【請求項９】
前記第２の認証手段による第２の認証が失敗した場合は、前記制御手段は前記携帯端末装置との接続を切断する請求項１〜８の何れかに記載の画像処理装置。
【請求項１０】
前記第２の認証手段による認証失敗の許容回数を設定する許容回数設定手段を備え、
前記認証が失敗した場合、失敗回数が前記許容回数設定手段で設定された許容回数に達するまでは前記認証情報要求手段による認証情報の要求と、該要求に応答して前記携帯端末装置から送信された認証情報に基づく前記第２の認証手段による第２の認証を繰り返し、失敗回数が予め設定された回数に達すると、前記制御手段は、前記携帯端末装置との接続を切断する請求項９に記載の画像処理装置。
【請求項１１】
前記第２の認証手段は、前記携帯端末装置から指示される印刷ジョブがユーザーの権限範囲内かどうかを判断するとともに、前記第２の認証手段により権限範囲内であると判断された場合にのみ前記印刷ジョブを受け付ける受付手段を備えている請求項１〜１０の何れかに記載の画像処理装置。
【請求項１２】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を備え、
前記携帯端末装置からの認証情報に対する前記第１の認証ステップによる第１の認証が失敗したときに、前記制御ステップでは、前記第２の認証ステップにより前記認証情報に対する第２の認証を実行させることを特徴とする画像処理装置における認証方法。
【請求項１３】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を備え、
前記第１の認証ステップによる第１の認証が無効状態であるときに、前記制御ステップでは、前記第２の認証ステップによる前記認証情報に対する第２の認証を実行させることを特徴とする画像処理装置における認証方法。
【請求項１４】
前記認証情報に対する第１の認証ステップによる第１の認証の成功後に、前記認証情報要求ステップでは次の認証情報を前記携帯端末装置に要求し、
前記制御ステップでは、前記携帯端末装置から送信された前記次の認証情報に対して前記第２の認証ステップによる第２の認証を実行させる請求項１２または１３に記載の画像処理装置における認証方法。
【請求項１５】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を備え、
前記認証情報に対する第１の認証ステップによる第１の認証の成功後に、前記認証情報要求ステップでは次の認証情報を前記携帯端末装置に要求し、
前記制御ステップでは、前記携帯端末装置から送信された前記次の認証情報に対して前記第２の認証ステップによる第２の認証を実行させ、
前記第２の認証ステップによる複数の種別の第２の認証が必要とされる場合、前記認証情報要求ステップでは第２の認証ステップによる１つの種別の認証の終了後に、次の種別の認証を行うための認証情報を前記携帯端末装置に要求することを特徴とする画像処理装置における認証方法。
【請求項１６】
前記携帯端末装置からの接続要求は特定のプロトコルによって行われ、前記第１の認証ステップによる第１の認証は、前記特定のプロトコルによる認証情報に対して行われる請求項１２〜１５の何れかに記載の画像処理装置における認証方法。
【請求項１７】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を備え、
複数のプロトコルにより前記携帯端末装置との接続が可能であるとともに、前記複数のプロトコルのうちの特定のプロトコルによる接続時にのみ、前記制御ステップでは前記第２の認証ステップによる第２の認証を実行させることを特徴とする画像処理装置における認証方法。
【請求項１８】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を備え、
前記第２の認証ステップでは、予め設定された規則に基づいて複数の単位認証情報が結合された１つの認証情報から前記各単位認証情報を抽出し、該抽出された各単位認証情報に基づいて異なる種別の認証を行うことを特徴とする画像処理装置における認証方法。
【請求項１９】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を備え、
前記第２の認証ステップでは、予め設定された規則に基づいて認証種別情報と単位認証情報が結合された１つの認証情報から、前記認証種別情報と単位認証情報を抽出し、該抽出された認証種別情報で示される種別の認証を、前記抽出された単位認証情報に基づいて行うことを特徴とする画像処理装置における認証方法。
【請求項２０】
前記第２の認証ステップによる第２の認証が失敗した場合は、前記制御ステップでは前記携帯端末装置との接続を切断する請求項１２〜１９の何れかに記載の画像処理装置における認証方法。
【請求項２１】
前記第２の認証ステップによる認証失敗の許容回数を設定する許容回数設定ステップを備え、
前記認証が失敗した場合、失敗回数が前記許容回数設定ステップで設定された許容回数に達するまでは前記認証情報要求ステップによる認証情報の要求と、該要求に応答して前記携帯端末装置から送信された認証情報に基づく前記第２の認証ステップによる第２の認証を繰り返し、失敗回数が予め設定された回数に達すると、前記制御ステップでは、前記携帯端末装置との接続を切断する請求項２０に記載の画像処理装置における認証方法。
【請求項２２】
前記第２の認証ステップでは、前記携帯端末装置から指示される印刷ジョブがユーザーの権限範囲内かどうかを判断するとともに、前記第２の認証ステップにより権限範囲内であると判断された場合にのみ前記印刷ジョブを受け付ける受付ステップを備えている請求項１２〜２１の何れかに記載の画像処理装置における認証方法。
【請求項２３】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を、画像処理装置のコンピュータに実行させ、
前記携帯端末装置からの認証情報に対する前記第１の認証ステップによる第１の認証が失敗したときに、前記制御ステップでは、前記第２の認証ステップにより前記認証情報に対する第２の認証を実行させる処理を前記コンピュータに実行させるための認証プログラム。
【請求項２４】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を、画像処理装置のコンピュータに実行させ、
前記第１の認証ステップによる第１の認証が無効状態であるときに、前記制御ステップでは、前記第２の認証ステップによる前記認証情報に対する第２の認証を実行させる処理を前記コンピュータに実行させるための認証プログラム。
【請求項２５】
前記認証情報に対する第１の認証ステップによる第１の認証の成功後に、前記認証情報要求ステップでは次の認証情報を前記携帯端末装置に要求し、
前記制御ステップでは、前記携帯端末装置から送信された前記次の認証情報に対して前記第２の認証ステップによる第２の認証を実行させる処理を前記コンピュータに実行させる請求項２３または２４に記載の認証プログラム。
【請求項２６】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を、画像処理装置のコンピュータに実行させ、
前記認証情報に対する第１の認証ステップによる第１の認証の成功後に、前記認証情報要求ステップでは次の認証情報を前記携帯端末装置に要求し、
前記制御ステップでは、前記携帯端末装置から送信された前記次の認証情報に対して前記第２の認証ステップによる第２の認証を実行させ、
前記第２の認証ステップによる複数の種別の第２の認証が必要とされる場合、前記認証情報要求ステップでは第２の認証ステップによる１つの種別の認証の終了後に、次の種別の認証を行うための認証情報を前記携帯端末装置に要求する処理を前記コンピュータに実行させるための認証プログラム。
【請求項２７】
前記携帯端末装置からの接続要求は特定のプロトコルによって行われ、前記第１の認証ステップによる第１の認証は、前記特定のプロトコルによる認証情報に対して行われる請求項２３〜２６の何れかに記載の認証プログラム。
【請求項２８】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を、画像処理装置のコンピュータに実行させ、
複数のプロトコルにより前記携帯端末装置との接続が可能であるとともに、前記複数のプロトコルのうちの特定のプロトコルによる接続時にのみ、前記制御ステップでは前記第２の認証ステップによる第２の認証を実行させる処理を前記コンピュータに実行させるための認証プログラム。
【請求項２９】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を、画像処理装置のコンピュータに実行させ、
前記第２の認証ステップでは、予め設定された規則に基づいて複数の単位認証情報が結合された１つの認証情報から前記各単位認証情報を抽出し、該抽出された各単位認証情報に基づいて異なる種別の認証を行う処理を前記コンピュータに実行させるための認証プログラム。
【請求項３０】
携帯端末装置からのユーザーの識別を要しない接続要求を契機として、前記携帯端末装置に１回または複数回にわたって認証情報を要求する認証情報要求ステップと、
前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、
ユーザー識別用の第２の照合用データと認証情報を比較照合することにより、ユーザーに対する自装置の利用可否を判断するための第２の認証を行う第２の認証ステップと、
前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、
を、画像処理装置のコンピュータに実行させ、
前記第２の認証ステップでは、予め設定された規則に基づいて認証種別情報と単位認証情報が結合された１つの認証情報から、前記認証種別情報と単位認証情報を抽出し、該抽出された認証種別情報で示される種別の認証を、前記抽出された単位認証情報に基づいて行う処理を前記コンピュータに実行させるための認証プログラム。
【請求項３１】
前記第２の認証ステップによる第２の認証が失敗した場合は、前記制御ステップでは前記携帯端末装置との接続を切断する処理を前記コンピュータに実行させる請求項２３〜３０の何れかに記載の認証プログラム。
【請求項３２】
前記第２の認証ステップによる認証失敗の許容回数を設定する許容回数設定ステップを前記コンピュータに実行させ、
前記認証が失敗した場合、失敗回数が前記許容回数設定ステップで設定された許容回数に達するまでは前記認証情報要求ステップによる認証情報の要求と、該要求に応答して前記携帯端末装置から送信された認証情報に基づく前記第２の認証ステップによる第２の認証を繰り返し、失敗回数が予め設定された回数に達すると、前記制御ステップでは、前記携帯端末装置との接続を切断する処理を前記コンピュータに実行させる請求項３１に記載の認証プログラム。
【請求項３３】
前記第２の認証ステップでは、前記携帯端末装置から指示される印刷ジョブがユーザーの権限範囲内かどうかを判断するとともに、前記第２の認証ステップにより権限範囲内であると判断された場合にのみ前記印刷ジョブを受け付ける受付ステップを前記コンピュータに実行させる請求項２３〜３２の何れかに記載の認証プログラム。
【発明の詳細な説明】
【技術分野】
【０００１】
この発明は、プリンタ機能、コピー機能、ファクシミリ機能、スキャン機能等の機能を備えた多機能デジタル画像処理装置であるＭＦＰ（Multi Function Peripherals）等の画像処理装置、携帯端末装置との接続時に画像処理装置で実行される認証方法、及び認証プログラムに関する。
【背景技術】
【０００２】
一般に、上記のＭＦＰ等の画像処理装置用として提供されパーソナルコンピュータ等からなるユーザー端末にインストールされたプリンタドライバやプリント用アプリケーションは、画像処理装置の機能に合わせてユーザー識別情報や部門識別情報等の認証情報をＰＪＬ（Printer Job Language）で印刷データに付与して画像処理装置に送信できるように作成されている。そして、印刷データを受信した画像処理装置は、前記ＰＪＬで付与された認証情報に基づいてユーザー認証や部門認証を行い、認証が得られないユーザーに対しては使用を拒否することにより、画像処理装置で予め設定された使用権限のあるユーザーのみが使用できるようになっている。
【０００３】
ところで、スマートフォン等の携帯端末装置には、AirPrintあるいはMopria Plug-inと称されるようなＯＳ（Operating System）標準の印刷機能がある。このような印刷機能では、画像処理装置の設定に対応するユーザー情報等を印刷データに付与することができないため、画像処理装置はユーザー認証情報を受信することができない。このため以下に述べるような問題があった。
【先行技術文献】
【特許文献】
【０００４】
【特許文献１】特開２０１０−３４８２２号公報
【発明の概要】
【発明が解決しようとする課題】
【０００５】
即ち、上述したようなＯＳ標準の印刷機能が使用される場合、画像処理装置はユーザーを適切に識別することができず、ユーザーの使用管理ができないという問題があった。
【０００６】
具体的には、ＯＳ標準の印刷機能による印刷指示を受けた画像処理装置が、登録されたユーザーのみに印刷を許可するような設定の場合は、ユーザー情報が存在していないため認証エラーとなり、印刷データは破棄される。画像処理装置がユーザー認証を行うがパブリックユーザーの使用も許可する設定の場合は、全てがパブリックユーザーのジョブとして扱われる。従って、この場合は適切なユーザー権限(プリントカウンタの上限規制やカラー機能制限等）の管理を行うことができない。
【０００７】
もっとも、前述したＯＳ標準の印刷機能では、携帯端末装置と画像処理装置の接続の可否を判定するためだけの認証情報を、画像処理装置に固定的に登録しておき、携帯端末装置から送信された認証情報を登録した認証情報と照合して、接続を許可するか否かを判定できる構成とすることも可能である。
【０００８】
しかし、携帯端末装置と画像処理装置の接続の可否を判定するためだけに使用される認証情報では、ユーザーを識別することができないため、やはりユーザーの使用管理を行うことができない。
【０００９】
なお、前記特許文献１には、ダイレクトプリントの実行の際に、ユーザー名やパスワード等の認証情報の入力を求め、入力された認証情報を画像形成装置に登録された権限情報と比較することにより、ダイレクトプリントの利点を享受しながら、課金処理や印刷制限を行うことができるようにする技術が提案されている。
【００１０】
しかしながら、特許文献１に記載の技術は、ダイレクトプリントに対してユーザー認証を求める技術であり、ＯＳ標準の印刷機能により印刷を行う技術ではなく、このような印刷機能により印刷指示を受けた画像処理装置は、ユーザー認証によるユーザー管理を行うことができないという問題点を解決するものではなかった。
【００１１】
この発明は、このような実情に鑑みてなされたものであり、携帯端末装置のＯＳ標準印刷機能に基づく接続要求のように、携帯端末装置からユーザーの識別を要しない接続要求があった場合にも、ユーザーに対する利用可否を判断するための認証を可能としてユーザーの使用管理を行うことができる画像処理装置、及び携帯端末装置との接続時に画像処理装置で実行される認証方法を提供し、さらには前記認証方法を画像処理装置のコンピュータに実行させるための認証プログラムを提供することを課題とする。
【課題を解決するための手段】
【００１２】
上記課題は、以下の手段によって解決される。
（１）携帯端末装置からのユーザーの識別を要しない接続要求を契機として、前記携帯端末装置に１回または複数回にわたって認証情報を要求する認証情報要求手段と、前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、ユーザー識別用の第２の照合用データと認証情報を比較照合することにより、ユーザーに対する自装置の利用可否を判断するための第２の認証を行う第２の認証手段と、前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、を備え、前記携帯端末装置からの認証情報に対する前記第１の認証手段による第１の認証が失敗したときに、前記制御手段は、前記第２の認証手段に前記認証情報に対する第２の認証を実行させることを特徴とする画像処理装置。
（２）携帯端末装置からのユーザーの識別を要しない接続要求を契機として、前記携帯端末装置に１回または複数回にわたって認証情報を要求する認証情報要求手段と、前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、ユーザー識別用の第２の照合用データと認証情報を比較照合することにより、ユーザーに対する自装置の利用可否を判断するための第２の認証を行う第２の認証手段と、前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、を備え、前記第１の認証手段が無効状態であるときに、前記制御手段は、前記第２の認証手段に前記認証情報に対する第２の認証を実行させることを特徴とする画像処理装置。
（３）前記認証情報に対する第１の認証手段による第１の認証の成功後に、前記認証情報要求手段は次の認証情報を前記携帯端末装置に要求し、前記制御手段は、前記携帯端末装置から送信された前記次の認証情報に対して前記第２の認証手段による第２の認証を実行させる前項１または２に記載の画像処理装置。
（４）携帯端末装置からのユーザーの識別を要しない接続要求を契機として、前記携帯端末装置に１回または複数回にわたって認証情報を要求する認証情報要求手段と、前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、ユーザー識別用の第２の照合用データと認証情報を比較照合することにより、ユーザーに対する自装置の利用可否を判断するための第２の認証を行う第２の認証手段と、前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、を備え、前記認証情報に対する第１の認証手段による第１の認証の成功後に、前記認証情報要求手段は次の認証情報を前記携帯端末装置に要求し、前記制御手段は、前記携帯端末装置から送信された前記次の認証情報に対して前記第２の認証手段による第２の認証を実行させ、前記第２の認証手段による複数の種別の第２の認証が必要とされる場合、前記認証情報要求手段は第２の認証手段による１つの種別の認証の終了後に、次の種別の認証を行うための認証情報を前記携帯端末装置に要求することを特徴とする画像処理装置。
（５）前記携帯端末装置からの接続要求は特定のプロトコルによって行われ、前記第１の認証手段による第１の認証は、前記特定のプロトコルによる認証情報に対して行われる前項１〜４の何れかに記載の画像処理装置。
（６）携帯端末装置からのユーザーの識別を要しない接続要求を契機として、前記携帯端末装置に１回または複数回にわたって認証情報を要求する認証情報要求手段と、前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、ユーザー識別用の第２の照合用データと認証情報を比較照合することにより、ユーザーに対する自装置の利用可否を判断するための第２の認証を行う第２の認証手段と、前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、を備え、複数のプロトコルにより前記携帯端末装置との接続が可能であるとともに、前記複数のプロトコルのうちの特定のプロトコルによる接続時にのみ、前記制御手段は前記第２の認証手段に第２の認証を実行させることを特徴とする画像処理装置。
（７）携帯端末装置からのユーザーの識別を要しない接続要求を契機として、前記携帯端末装置に１回または複数回にわたって認証情報を要求する認証情報要求手段と、前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、ユーザー識別用の第２の照合用データと認証情報を比較照合することにより、ユーザーに対する自装置の利用可否を判断するための第２の認証を行う第２の認証手段と、前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、を備え、前記第２の認証手段は、予め設定された規則に基づいて複数の単位認証情報が結合された１つの認証情報から前記各単位認証情報を抽出し、該抽出された各単位認証情報に基づいて異なる種別の認証を行うことを特徴とする画像処理装置。
（８）携帯端末装置からのユーザーの識別を要しない接続要求を契機として、前記携帯端末装置に１回または複数回にわたって認証情報を要求する認証情報要求手段と、前記認証情報要求手段による要求に応答して前記携帯端末装置から送信された認証情報を第１の照合用データと比較照合することにより、ユーザーの識別を行うことなく前記携帯端末装置との接続可否を判断するための第１の認証を行う第１の認証手段と、ユーザー識別用の第２の照合用データと認証情報を比較照合することにより、ユーザーに対する自装置の利用可否を判断するための第２の認証を行う第２の認証手段と、前記認証情報要求手段による１回または複数回にわたる要求に応答して前記携帯端末装置から送信された１個または複数個の認証情報の何れかを、予め設定された条件に従い取り込んで、前記第２の認証手段に前記第２の認証を実行させる制御手段と、を備え、前記第２の認証手段は、予め設定された規則に基づいて認証種別情報と単位認証情報が結合された１つの認証情報から、前記認証種別情報と単位認証情報を抽出し、該抽出された認証種別情報で示される種別の認証を、前記抽出された単位認証情報に基づいて行うことを特徴とする画像処理装置。
（９）前記第２の認証手段による第２の認証が失敗した場合は、前記制御手段は前記携帯端末装置との接続を切断する前項１〜８の何れかに記載の画像処理装置。
（１０）前記第２の認証手段による認証失敗の許容回数を設定する許容回数設定手段を備え、前記認証が失敗した場合、失敗回数が前記許容回数設定手段で設定された許容回数に達するまでは前記認証情報要求手段による認証情報の要求と、該要求に応答して前記携帯端末装置から送信された認証情報に基づく前記第２の認証手段による第２の認証を繰り返し、失敗回数が予め設定された回数に達すると、前記制御手段は、前記携帯端末装置との接続を切断する前項９に記載の画像処理装置。
（１１）前記第２の認証手段は、前記携帯端末装置から指示される印刷ジョブがユーザーの権限範囲内かどうかを判断するとともに、前記第２の認証手段により権限範囲内であると判断された場合にのみ前記印刷ジョブを受け付ける受付手段を備えている前項１〜１０の何れかに記載の画像処理装置。
（１２）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を備え、前記携帯端末装置からの認証情報に対する前記第１の認証ステップによる第１の認証が失敗したときに、前記制御ステップでは、前記第２の認証ステップにより前記認証情報に対する第２の認証を実行させることを特徴とする画像処理装置における認証方法。
（１３）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を備え、前記第１の認証ステップによる第１の認証が無効状態であるときに、前記制御ステップでは、前記第２の認証ステップによる前記認証情報に対する第２の認証を実行させることを特徴とする画像処理装置における認証方法。
（１４）前記認証情報に対する第１の認証ステップによる第１の認証の成功後に、前記認証情報要求ステップでは次の認証情報を前記携帯端末装置に要求し、前記制御ステップでは、前記携帯端末装置から送信された前記次の認証情報に対して前記第２の認証ステップによる第２の認証を実行させる前項１２または１３に記載の画像処理装置における認証方法。
（１５）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を備え、前記認証情報に対する第１の認証ステップによる第１の認証の成功後に、前記認証情報要求ステップでは次の認証情報を前記携帯端末装置に要求し、前記制御ステップでは、前記携帯端末装置から送信された前記次の認証情報に対して前記第２の認証ステップによる第２の認証を実行させ、前記第２の認証ステップによる複数の種別の第２の認証が必要とされる場合、前記認証情報要求ステップでは第２の認証ステップによる１つの種別の認証の終了後に、次の種別の認証を行うための認証情報を前記携帯端末装置に要求することを特徴とする画像処理装置における認証方法。
（１６）前記携帯端末装置からの接続要求は特定のプロトコルによって行われ、前記第１の認証ステップによる第１の認証は、前記特定のプロトコルによる認証情報に対して行われる前項１２〜１５の何れかに記載の画像処理装置における認証方法。
（１７）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を備え、複数のプロトコルにより前記携帯端末装置との接続が可能であるとともに、前記複数のプロトコルのうちの特定のプロトコルによる接続時にのみ、前記制御ステップでは前記第２の認証ステップによる第２の認証を実行させることを特徴とする画像処理装置における認証方法。
（１８）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を備え、前記第２の認証ステップでは、予め設定された規則に基づいて複数の単位認証情報が結合された１つの認証情報から前記各単位認証情報を抽出し、該抽出された各単位認証情報に基づいて異なる種別の認証を行うことを特徴とする画像処理装置における認証方法。
（１９）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を備え、前記第２の認証ステップでは、予め設定された規則に基づいて認証種別情報と単位認証情報が結合された１つの認証情報から、前記認証種別情報と単位認証情報を抽出し、該抽出された認証種別情報で示される種別の認証を、前記抽出された単位認証情報に基づいて行うことを特徴とする画像処理装置における認証方法。
（２０）前記第２の認証ステップによる第２の認証が失敗した場合は、前記制御ステップでは前記携帯端末装置との接続を切断する前項１２〜１９の何れかに記載の画像処理装置における認証方法。
（２１）前記第２の認証ステップによる認証失敗の許容回数を設定する許容回数設定ステップを備え、前記認証が失敗した場合、失敗回数が前記許容回数設定ステップで設定された許容回数に達するまでは前記認証情報要求ステップによる認証情報の要求と、該要求に応答して前記携帯端末装置から送信された認証情報に基づく前記第２の認証ステップによる第２の認証を繰り返し、失敗回数が予め設定された回数に達すると、前記制御ステップでは、前記携帯端末装置との接続を切断する前項２０に記載の画像処理装置における認証方法。
（２２）前記第２の認証ステップでは、前記携帯端末装置から指示される印刷ジョブがユーザーの権限範囲内かどうかを判断するとともに、前記第２の認証ステップにより権限範囲内であると判断された場合にのみ前記印刷ジョブを受け付ける受付ステップを備えている前項１２〜２１の何れかに記載の画像処理装置における認証方法。
（２３）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を、画像処理装置のコンピュータに実行させ、前記携帯端末装置からの認証情報に対する前記第１の認証ステップによる第１の認証が失敗したときに、前記制御ステップでは、前記第２の認証ステップにより前記認証情報に対する第２の認証を実行させる処理を前記コンピュータに実行させるための認証プログラム。
（２４）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を、画像処理装置のコンピュータに実行させ、前記第１の認証ステップによる第１の認証が無効状態であるときに、前記制御ステップでは、前記第２の認証ステップによる前記認証情報に対する第２の認証を実行させる処理を前記コンピュータに実行させるための認証プログラム。
（２５）前記認証情報に対する第１の認証ステップによる第１の認証の成功後に、前記認証情報要求ステップでは次の認証情報を前記携帯端末装置に要求し、前記制御ステップでは、前記携帯端末装置から送信された前記次の認証情報に対して前記第２の認証ステップによる第２の認証を実行させる処理を前記コンピュータに実行させる前項２３または２４に記載の認証プログラム。
（２６）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を、画像処理装置のコンピュータに実行させ、前記認証情報に対する第１の認証ステップによる第１の認証の成功後に、前記認証情報要求ステップでは次の認証情報を前記携帯端末装置に要求し、前記制御ステップでは、前記携帯端末装置から送信された前記次の認証情報に対して前記第２の認証ステップによる第２の認証を実行させ、前記第２の認証ステップによる複数の種別の第２の認証が必要とされる場合、前記認証情報要求ステップでは第２の認証ステップによる１つの種別の認証の終了後に、次の種別の認証を行うための認証情報を前記携帯端末装置に要求する処理を前記コンピュータに実行させるための認証プログラム。
（２７）前記携帯端末装置からの接続要求は特定のプロトコルによって行われ、前記第１の認証ステップによる第１の認証は、前記特定のプロトコルによる認証情報に対して行われる前項２３〜２６の何れかに記載の認証プログラム。
（２８）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を、画像処理装置のコンピュータに実行させ、複数のプロトコルにより前記携帯端末装置との接続が可能であるとともに、前記複数のプロトコルのうちの特定のプロトコルによる接続時にのみ、前記制御ステップでは前記第２の認証ステップによる第２の認証を実行させる処理を前記コンピュータに実行させるための認証プログラム。
（２９）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を、画像処理装置のコンピュータに実行させ、前記第２の認証ステップでは、予め設定された規則に基づいて複数の単位認証情報が結合された１つの認証情報から前記各単位認証情報を抽出し、該抽出された各単位認証情報に基づいて異なる種別の認証を行う処理を前記コンピュータに実行させるための認証プログラム。
（３０）携帯端末装置からのユーザーの識別を要しない接続要求を契機として、前記携帯端末装置に１回または複数回にわたって認証情報を要求する認証情報要求ステップと、前記認証情報要求ステップによる要求に応答して前記携帯端末装置から送信された認証情報を第１の照合用データと比較照合することにより、ユーザーの識別を行うことなく前記携帯端末装置との接続可否を判断するための第１の認証を行う第１の認証ステップと、ユーザー識別用の第２の照合用データと認証情報を比較照合することにより、ユーザーに対する自装置の利用可否を判断するための第２の認証を行う第２の認証ステップと、前記認証情報要求ステップによる１回または複数回にわたる要求に応答して前記携帯端末装置から送信された１個または複数個の認証情報の何れかを、予め設定された条件に従い取り込んで、前記第２の認証ステップにおいて前記第２の認証を実行させる制御ステップと、を、画像処理装置のコンピュータに実行させ、前記第２の認証ステップでは、予め設定された規則に基づいて認証種別情報と単位認証情報が結合された１つの認証情報から、前記認証種別情報と単位認証情報を抽出し、該抽出された認証種別情報で示される種別の認証を、前記抽出された単位認証情報に基づいて行う処理を前記コンピュータに実行させるための認証プログラム。
（３１）前記第２の認証ステップによる第２の認証が失敗した場合は、前記制御ステップでは前記携帯端末装置との接続を切断する処理を前記コンピュータに実行させる前項２３〜３０の何れかに記載の認証プログラム。
（３２）前記第２の認証ステップによる認証失敗の許容回数を設定する許容回数設定ステップを前記コンピュータに実行させ、前記認証が失敗した場合、失敗回数が前記許容回数設定ステップで設定された許容回数に達するまでは前記認証情報要求ステップによる認証情報の要求と、該要求に応答して前記携帯端末装置から送信された認証情報に基づく前記第２の認証ステップによる第２の認証を繰り返し、失敗回数が予め設定された回数に達すると、前記制御ステップでは、前記携帯端末装置との接続を切断する処理を前記コンピュータに実行させる前項３１に記載の認証プログラム。
（３３）前記第２の認証ステップでは、前記携帯端末装置から指示される印刷ジョブがユーザーの権限範囲内かどうかを判断するとともに、前記第２の認証ステップにより権限範囲内であると判断された場合にのみ前記印刷ジョブを受け付ける受付ステップを前記コンピュータに実行させる前項２３〜３２の何れかに記載の認証プログラム。
【発明の効果】
【００１３】
前項（１）及び(１２)に記載の発明によれば、携帯端末装置からのユーザーの識別を要しない接続要求を契機として、携帯端末装置に１回または複数回にわたって認証情報が要求される。この要求に応答して携帯端末装置から送信された１個または複数個の認証情報の何れかを、予め設定された条件に従い取り込んで、ユーザーに対する自装置の利用可否を判断するための第２の認証が行われる。
【００１４】
例えば、第１の認証が失敗した場合や第１の認証を実行できない場合に第２の認証を行うように設定しておくことで、携帯端末装置からのユーザー識別を伴わない接続要求に対する応答として、携帯端末装置のユーザーにユーザー情報を含む認証情報を送信させることにより、携帯端末装置からのユーザー識別を伴わない接続要求であるにも関わらず、この認証情報を取り込んでユーザーに対する利用可否を判断するための認証を行うことができ、ユーザーの使用管理を行うことが可能となる。
【００１５】
また、携帯端末装置からの認証情報に対する第１の認証が失敗したときに、第２の認証手段による認証が行われるから、携帯端末装置のユーザーが接続要求時の認証情報として第１の認証には適合しないが第２の認証に適合する認証情報を送信した場合に、この認証情報に基づいて第２の認証つまりユーザーに対する利用可否を判断するための認証が行われる。
【００１６】
前項（２）に記載の発明によれば、第１の認証手段が設定等により無効状態になっている場合に第２の認証が実行されるから、携帯端末装置のユーザーが接続要求時の認証情報として、第１の認証には適合しないが第２の認証に適合する認証情報を送信すると、この認証情報に基づいて第２の認証が行われる。
【００１７】
前項（３）に記載の発明によれば、第１の認証手段による第１の認証の成功後に携帯端末装置に要求され該携帯端末装置から送信された次の認証情報に対して、第２の認証手段による第２の認証が実行される。
【００１８】
前項（４）に記載の発明によれば、複数の種別の第２の認証が必要とされる場合、第２の認証手段による１つの種別の認証の終了後に、次の種別の認証を行うための認証情報が要求されるから、複数の種別の認証を確実に行うことができる。
【００１９】
前項（５）に記載の発明によれば、携帯端末装置からのユーザー識別を伴わない接続要求は、例えばＩＰＰ（Internet Printing Protocol）等の特定のプロトコルによって行われ、この特定のプロトコルによる認証情報に基づいて、携帯端末装置との接続可否を判断するための第１の認証が行われる。
【００２０】
前項（６）に記載の発明によれば、複数のプロトコルのうちの特定のプロトコルによる接続時にのみ、前項(１)に記載の動作が実施される。
【００２１】
前項（７）に記載の発明によれば、予め設定された規則に基づいて複数の単位認証情報が結合された１つの認証情報から各単位認証情報が抽出され、該抽出された各単位認証情報に基づいて異なる種別の第２の認証が行われるから、認証情報の１回の送信により複数種別の認証を行うことができ、その分処理が簡素になる。
【００２２】
前項（８）に記載の発明によれば、予め設定された規則に基づいて認証種別情報と単位認証情報が結合された１つの認証情報から、認証種別情報と単位認証情報が抽出され、該抽出された単位認証情報に基づいて、抽出された認証種別情報で示される種別の第２の認証が行われるから、複数の認証種別の認証を行う場合に、その順番を予め設定しておく必要がなくなり、その分処理が簡素化される。
【００２３】
前項（９）に記載の発明によれば、第２の認証が失敗した場合は携帯端末装置との接続が切断される。
【００２４】
前項（１０）に記載の発明によれば、第２の認証手段による認証失敗は許容回数に達するまでは許容され、許容回数に達すると携帯端末装置との接続が切断される。
【００２５】
前項（１１）に記載の発明によれば、携帯端末装置から指示される印刷ジョブがユーザーの権限範囲内であると判断された場合にのみ、携帯端末装置からの印刷ジョブが受け付けられる。
【００２６】
前項（２３）に記載の発明によれば、携帯端末装置からのユーザーの識別を要しない接続要求を契機として、携帯端末装置に１回または複数回にわたって認証情報を要求し、この要求に応答して携帯端末装置から送信された１個または複数個の認証情報の何れかを、予め設定された条件に従い取り込んで、ユーザーに対する自装置の利用可否を判断するための認証を行う処理を、画像処理装置のコンピュータに実行させることができる。
【図面の簡単な説明】
【００２７】
【図１】この発明の一実施形態に係る画像処理装置を備えた画像処理システムの構成図である。
【図２】画像処理装置の内部構成を示す図である。
【図３】携帯端末装置の構成を示すブロック図である。
【図４】携帯端末装置から接続要求があったときに、画像処理装置と携帯端末装置との間で行われる従来の動作の一例を示す図である。
【図５】携帯端末装置から接続要求があったときに、この実施形態に係る画像処理装置と携帯端末装置との間で行われる動作の一例を示す図である。
【図６】携帯端末装置から接続要求があったときに、この実施形態に係る画像処理装置と携帯端末装置との間で行われる動作の他の例を示す図である。
【図７】図５及び図６で説明した画像処理装置の動作を示すフローチャートである。
【図８】図７で説明した動作の変形例を示すフローチャートである。
【図９】この発明の他の実施形態を示すもので、画像処理装置の動作を示すフローチャートである。
【図１０】携帯端末装置から接続要求があったときに、この実施形態に係る画像処理装置と携帯端末装置との間で複数の種別の認証を実施する場合の動作を説明するための図である。
【図１１】携帯端末装置からの接続要求がＩＰＰによって行われた場合にのみ、ＩＰＰ認証情報を要求し、この認証情報に基づいて認証を行う場合の画像処理装置の動作を示すフローチャートである。
【図１２】複数の単位認証情報が結合された１つの認証情報を示す図である。
【図１３】図１２に示したような複数の単位認証情報が含まれている認証情報から単位認証情報を分離抽出して、ユーザー認証及び部門認証を行う場合に、画像処理装置と携帯端末装置との間で行われる動作を説明するための図である。
【図１４】認証種別情報と単位認証情報が結合された２つの認証情報を示す図である。
【図１５】図１４に示したような認証種別情報と単位認証情報が含まれている認証情報から認証種別情報及び単位認証情報を分離抽出して、ユーザー認証及びプロジェクト認証を行う場合に、画像処理装置と携帯端末装置との間で行われる動作を説明するための図である。
【図１６】この発明のさらに他の実施形態を示すもので、画像処理装置の動作を示すフローチャートである。
【図１７】携帯端末装置からのプリントデータの送信タイミングを説明するための図である。
【図１８】携帯端末装置から送信されたプリントデータを認証情報と結合して保存する例を示す図である。
【発明を実施するための形態】
【００２８】
以下、この発明の実施形態を図面に基づいて説明する。
【００２９】
図１は、この発明の一実施形態に係る画像処理装置を備えた画像処理システムの構成図である。
【００３０】
本システムは、画像処理装置１と携帯端末装置２から構成される。画像処理装置１と携帯端末装置２は、いずれも無線ＬＡＮ（Wireless Local Area Network）３等により接続可能となっている。
【００３１】
画像処理装置１は、走査した原稿画像や携帯端末装置２から送信されたプリントデータから生成した画像の複写画像等を用紙上に形成する装置であり、この実施形態では、プリンタ機能、コピー機能、ファクシミリ機能、スキャン機能等の機能を備えた多機能デジタル画像処理装置である前述したＭＦＰが用いられている。以下、画像処理装置をＭＦＰともいう。
【００３２】
携帯端末装置２は、ＣＰＵ、ＲＡＭ、固定記憶装置（ハードディスク装置など）、モニタ、タッチ操作可能な液晶パネル等を有する携帯型のコンピュータ装置であり、例えばタブレット端末やスマートフォンなどからなる。携帯端末装置２は、電子化された文書を蓄積して持ち運び、どこでも閲覧、編集を行うことができる。また、無線通信する手段を有し、ＭＦＰ１等との間でデータの送受信を行うことができ、ＭＦＰ１へプリントデータを送信して印刷させることもできる。以下の説明では携帯端末装置を単に携帯端末ともいう。
【００３３】
図２は、ＭＦＰ１の内部構成を示す図である。ＭＦＰ１のＣＰＵ１０１には、制御プログラムの格納されたＲＯＭ１０２、作業用のＳ−ＲＡＭ（Static Random Access Memory）１０３、画像形成に関わる各種の設定を記憶するバッテリバックアップされたＮＶ−ＲＡＭ（不揮発性メモリ）１０４がバスを介して接続され、ＭＦＰ１の全体を統括的に制御する制御部１００を構成している。
【００３４】
制御部１００には、原稿画像を読み取る画像読取装置１２０、各種の入力を行うテンキー、プリントキー、ログアウトキーなどの各種キーや表示部１３１を備えた操作パネル１３０、ネットワークを介して接続されたパーソナルコンピュータ（ＰＣ）をはじめとする外部の装置との間で各種の情報を送受信する為のネットワークインターフェース（ネットワークＩ／Ｆ）１６０、該ネットワークインターフェース１６０により受信したプリントデータから複写画像を生成するプリンタコントローラ１５０、複写画像を用紙上に形成する画像出力装置１４０がそれぞれバスを介して接続されている。
【００３５】
また、制御部１００には、固定記憶装置１１０がバスを介して接続されている。固定記憶装置１１０とは例えばハードディスク装置である。この固定記憶装置１１０には、各種のデータが記憶されている。
【００３６】
また、ワイヤレスインターフェース（WirelessＩ／Ｆ）１７０がバスを介して制御部１００に接続されている。ワイヤレスインターフェース１７０は、ネットワークとの通信や携帯端末装置２との通信に利用される。
【００３７】
ＭＦＰ１は、プリント機能により、ＰＣアプリケーションで作成したファイルや電子化して保存された文書を印刷する。印刷方法としては、クライアントＰＣにインストールされたプリンタドライバやプリントアプリケーションから印刷モードを設定してＭＦＰ１に印刷を指示する方法、クライアントＰＣや携帯端末２のメーラーからe-mailに文書ファイルを添付し、e-mailに印刷モードを記載して印刷を指示する方法（e-mailプリント）、携帯端末２からＯＳ標準アプリケーション（AirPrint：iOS、MacOS標準、Mopria Plug-in：Android）を利用して印刷を指示する方法、といった様々な方法がある。ＭＦＰ１はさまざまなネットワークポート、プロトコルをプリント機能用に提供している。ここで、AirPrint、Mopria Plug-inによる印刷は前述したＩＰＰ（Internet Printing Protocol）を利用して行われる。
【００３８】
ＩＰＰはプロトコル上の認証機能があり、本プロトコルでの接続に対してＭＦＰ１は認証による可否を判断することができる。この認証は接続可否を判断するためのものであり、ユーザーを識別することはできない。
【００３９】
図３は携帯端末２の構成を示すブロック図である。携帯端末２は、ＣＰＵ２０１、制御プログラムの格納されたＲＯＭ２０２、作業用のＲＡＭ２０３を備え、ＲＯＭ２０２及びＲＡＭ２０３はそれぞれバスを介してＣＰＵ２０１に接続されている。また、ＣＰＵ２０１、ＲＯＭ２０２及びＲＡＭ２０３により、携帯端末２の全体を統括的に制御する制御部２００を形成している。
【００４０】
制御部２００には、各種の情報を表示する液晶等からなる表示部２０５、表示部２０５の表面に設けられ、表示部の画面を直接タッチして操作入力を行うタッチパネル２０６、ワイヤレスランインターフェース２０７が、バスを介してそれぞれ接続されている。ワイヤレスランインターフェース２０７は、ネットワークとの通信やＭＦＰ１との通信に利用される。
【００４１】
さらに、制御部２００には固定記憶装置２０４がバスを介して接続されている。固定記憶装置２０４とは例えばハードディスク装置である。この固定記憶装置２０４には、各種のデータが記憶されている。
【００４２】
次に、前述したAirPrint、Mopria Plug-inのようにＩＰＰによる接続要求(以下、ＩＰＰ接続要求ともいう）が携帯端末２からあった場合のＭＦＰ１の動作を説明する。このＩＰＰ接続要求は、携帯端末２のＯＳ標準機能に基づく接続要求でありユーザー識別を必要としない接続要求である。
【００４３】
図４は、携帯端末２からＩＰＰ接続要求があったときに、ＭＦＰ１と携帯端末２との間で行われる従来の動作の一例を示す図である。
【００４４】
ＭＦＰ１の制御部１００は、携帯端末２からＩＰＰ接続要求を受けると(ステップＳ０１)、ＩＰＰによる認証情報(以下、ＩＰＰ認証情報という)を携帯端末２に要求する(ステップＳ０２)。
【００４５】
携帯端末２のユーザーが、所定のユーザー名とパスワードからなる固定されたＩＰＰ認証情報３００をＭＦＰ１に送信すると(ステップＳ０３)、制御部１００は受信したＩＰＰ認証情報３００を、例えばＮＶＲＡＭ１０４に保存されているＩＰＰ認証のための照合用データ３０１と照合することにより、ＩＰＰ認証を行う(ステップＳ０４)。照合の結果、両データが一致するとＩＰＰ認証成功となり、携帯端末２との接続を許可する(ステップＳ０５）。ただし、ＩＰＰ認証情報にはユーザーに対する利用可否を判断するためのユーザー識別情報等は含まれていないため、ＭＦＰ１はユーザーに対する自装置の使用管理はできない。
【００４６】
また、携帯端末２のユーザーが、例えば誤ってＩＰＰ認証情報３００ではなくユーザー識別情報を含むユーザー認証情報を送信した場合は、ＩＰＰ認証照合用データ３０１との照合が不一致となり、接続は拒否される。
【００４７】
図５は、携帯端末２からＩＰＰ接続要求があったときに、この実施形態に係るＭＦＰ１と携帯端末２との間で行われる動作の一例を示す図である。この例では、携帯端末２からの認証情報とＩＰＰ認証照合用データ３０１との照合、つまりＩＰＰ認証は行わないこと(ＩＰＰ認証は無効状態であること）がＭＦＰ１の管理者等により予め設定されており、この設定がなされているときは、認証情報を取り込んでユーザー識別のためのユーザー認証照合用データ４０１と照合してユーザー認証を行う設定となっている。
【００４８】
図５において、ＭＦＰ１の制御部１００は携帯端末２からＩＰＰ接続要求を受けると(ステップＳ０１)、ＩＰＰ認証情報を携帯端末２に要求する(ステップＳ０２)。
【００４９】
携帯端末２のユーザーが、固定されたＩＰＰ認証情報３００ではなく、ユーザー識別情報とパスワードを含むユーザー認証情報４００をＭＦＰ１に送信すると(ステップＳ０３)、制御部１００は受信したユーザー認証情報４００を、例えば固定記憶装置１１０に保存されているユーザー認証のための照合用データ４０１と照合する(ステップＳ０６)。つまりユーザー認証が行われる。照合の結果、両データが一致すると認証成功となり、携帯端末２との接続を許可する(ステップＳ０５）。この場合は、ユーザーの識別によりユーザーに対する自装置の利用可否が判断され、ユーザーの使用管理が可能となる。
【００５０】
このように、この実施形態では、ＩＰＰ接続要求に対してＭＦＰ１からのＩＰＰ認証情報の要求に応答して携帯端末２から送信されてきた認証情報であっても、該認証情報を利用してユーザー認証を行うことができ、ユーザーの使用管理を行うことができる。
【００５１】
なお、図５の例において、携帯端末２から送信された認証情報がＩＰＰ認証情報３００であった場合、該ＩＰＰ認証情報３００とユーザー認証照合用データ４０１とが照合される結果、両者は不一致となり、ＭＦＰ１は携帯端末２との接続を切断する。
【００５２】
図６は、携帯端末２から接続要求があったときに、この実施形態に係るＭＦＰ１と携帯端末２との間で行われる動作の他の例を示す図である。この例では、ＭＦＰ１にＩＰＰ認証照合用データ３０１が存在せず、ＭＦＰ１はＩＰＰ認証が実質的に不可能となっている。つまり、ＩＰＰ認証は無効状態となっている。この場合も、ＭＦＰ１は携帯端末２からの認証情報を取り込んで、ユーザー認証照合用データ４０１と照合してユーザー認証を行うように設定されている。
【００５３】
図６において、ＭＦＰ１の制御部１００は、携帯端末２からＩＰＰ接続要求を受けると(ステップＳ０１)、ＩＰＰによる認証情報を携帯端末２に要求する(ステップＳ０２)。
【００５４】
携帯端末２のユーザーが、固定されたＩＰＰ認証情報３００ではなく、ユーザー識別情報とパスワードを含むユーザー認証情報４００をＭＦＰ１に送信すると(ステップＳ０３)、制御部１００は受信したユーザー認証情報４００を、ＩＰＰ認証照合用データと照合するが（ステップＳ０４)、ＩＰＰ認証照合用データは存在しないため、ユーザー認証照合用データ４０１と照合する(ステップＳ０６)。照合の結果、両データが一致すると認証成功となり、携帯端末２との接続を許可する(ステップＳ０５）。この例においても、ユーザーに対する自装置の利用可否が判断され、ユーザーの使用管理が行われる。
【００５５】
このように、図６に示した実施形態においても、ＩＰＰ接続要求に対するＭＦＰ１からのＩＰＰ認証情報の要求に応答して携帯端末２から送信されてきた認証情報を利用して、ユーザー認証を行うことができ、ユーザーの使用管理を行うことができる。
【００５６】
図７は、図５及び図６で説明したＭＦＰ１の動作を示すフローチャートである。この動作及び図８以後のフローチャートに示す動作は、ＭＦＰ１の制御部１００のＣＰＵ１０１がＲＯＭ１０２等の記録媒体に格納された動作プログラムに従って動作することにより実行される。
【００５７】
ステップＳ１０１で、ＭＦＰ１は携帯端末２にＩＰＰ認証情報を要求したのち、ステップＳ１０２で、認証情報を受信したかどうかを判断する。認証情報を受信しなければ(ステップＳ１０２でＮＯ)、携帯端末２との接続を切断する。
【００５８】
認証情報を受信した場合(ステップＳ１０２でＹＥＳ)、ステップＳ１０３で、ＩＰＰ認証(以下、第１認証ともいう)が有効か否か、換言すれば第１認証を行うことができるか否かを判定する。有効であれば(ステップＳ１０３でＹＥＳ)、ステップＳ１０４で、ＩＰＰ認証照合用データ(以下、第１認証照合用データともいう）３０１を参照して携帯端末２から送信された認証情報と照合し、ステップＳ１０５で認証成功か否かを判定する。
【００５９】
認証成功の場合(ステップＳ１０５でＹＥＳ)、ステップＳ１０６で携帯端末２との接続を許可する。認証失敗の場合(ステップＳ１０５でＮＯ)、携帯端末２との接続を切断する。
【００６０】
ステップＳ１０３で、第１認証が有効でない場合(ステップＳ１０３でＮＯ)、換言すれば第１認証を行わない設定となっていたり第１認証照合用データ３０１が存在しないために第１認証を行えない場合は、ステップＳ１０７に進み、ユーザーに対する自装置の利用可否を判断するためのユーザー認証(以下、第２認証ともいう）が有効か否かを判断する。
【００６１】
第２認証が有効な場合(ステップＳ１０７でＹＥＳ)、ステップＳ１０８で、ユーザー認証照合用データ４０１を参照して携帯端末２からの認証情報と照合し、ステップＳ１０９で認証成功か否かを判定する。
【００６２】
認証成功の場合(ステップＳ１０９でＹＥＳ)、ステップＳ１０６で携帯端末２との接続を許可する。認証失敗の場合(ステップＳ１０９でＮＯ)、携帯端末２との接続を切断する。
【００６３】
ステップＳ１０７で、ユーザー認証が有効でない場合(ステップＳ１０７でＮＯ)、ＭＦＰ１は認証を行っていないため、ステップＳ１０６で携帯端末２との接続を許可する。
【００６４】
なお、図７のステップＳ１０５において、ＩＰＰ認証を行った結果、認証失敗の場合(ステップＳ１０５でＮＯ)、ステップＳ１０７に進んでユーザー認証を行う構成としても良い。このような構成とすることで、ＩＰＰ認証が有効でない場合と同様に、ＭＦＰ１からのＩＰＰ認証情報の要求に対して、携帯端末２のユーザーがユーザー情報を含む認証情報４００をＭＦＰ１に送信した場合に、この認証情報に対してユーザー認証を実行することができ、ＩＰＰ認証情報の要求に応答して携帯端末２から送信されてきた認証情報を利用して、ユーザーの使用管理を行うことができる。
【００６５】
図８は、図７で説明した動作の変形例を示すフローチャートである。図７の例では、携帯端末２に対してＩＰＰ認証情報の要求後に、ＩＰＰ認証またはユーザー認証が有効かどうかを判断したが、図８の例ではＩＰＰ認証またはユーザー認証が有効かどうかを判断した後で、携帯端末２に対してＩＰＰ認証情報を要求する構成となっている。
【００６６】
ステップＳ１１０で、第１認証（ＩＰＰ認証）が有効か否かを判定する。有効であれば(ステップＳ１１０でＹＥＳ)、ステップＳ１１１でＩＰＰ認証情報を要求した後、ステップＳ１１２で認証情報を受信したかどうかを判断する。認証情報を受信しなければ(ステップＳ１１２でＮＯ)、受信するまで待つ。受信すると(ステップＳ１１２でＹＥＳ)、ステップＳ１１３で、第１認証照合用データ３０１を参照して携帯端末２からの認証情報と照合し、ステップＳ１１４で認証成功か否かを判定する。
【００６７】
認証成功の場合(ステップＳ１１４でＹＥＳ)、ステップＳ１１５で携帯端末２との接続を許可する。認証失敗の場合(ステップＳ１１４でＮＯ)、携帯端末２との接続を切断する。
【００６８】
ステップＳ１１０で、第１認証が有効でない場合(ステップＳ１１０でＮＯ)、ステップＳ１１６で第２認証（ユーザー認証）が有効か否かを判断する。
【００６９】
第２認証が有効な場合(ステップＳ１１６でＹＥＳ)、ステップＳ１１７でＩＰＰ認証情報を要求した後、ステップＳ１１８で認証情報を受信したかどうかを判断する。認証情報を受信しなければ(ステップＳ１１８でＮＯ)、受信するまで待つ。受信すると(ステップＳ１１８でＹＥＳ)、ステップＳ１１９で、第２認証照合用データ４０１を参照して携帯端末２からの認証情報と照合し、ステップＳ１２０で認証成功か否かを判定する。
【００７０】
認証成功の場合(ステップＳ１２０でＹＥＳ)、ステップＳ１１５で携帯端末２との接続を許可する。認証失敗の場合(ステップＳ１２０でＮＯ)、携帯端末２との接続を切断する。
【００７１】
ステップＳ１１６で、第２認証が有効でない場合(ステップＳ１１６でＮＯ)、ＭＦＰ１は認証を行っていないため、ステップＳ１１５で携帯端末２との接続を許可する。
【００７２】
なお、図７の場合と同様に、図８のステップＳ１１４において、第１認証を行った結果、認証失敗の場合(ステップＳ１１４でＮＯ)、ステップＳ１１６に進んで第２認証を行う構成としても良い。
【００７３】
図９はこの発明の他の実施形態を示すもので、ＭＦＰ１の動作を示すフローチャートである。この実施形態では、ＭＦＰ１は複数の異なる種別の認証を行う構成となっている。例えば、まずＩＰＰ認証による認証が成功したときにユーザー認証を行う設定がなされている場合や、ユーザー認証後にさらに部門認証を行う設定がなされているような場合である。この場合、最初の種別の認証が成功すると、ＭＦＰ１は次の種別の認証情報を携帯端末２に要求し、全ての種別の認証が終了するまで認証情報の要求を繰り返す。
【００７４】
ステップＳ１２１で、認証情報を要求した後、ステップＳ１２２で認証情報を受信したかどうかを判断する。受信しなければ(ステップＳ１２２でＮＯ)、受信するまで待つ。受信すると(ステップＳ１２２でＹＥＳ)、ステップＳ１２３で最初の種別の認証を行い、要求した情報項目を満たしているかどうかを判断する。例えば要求されるパスワードが存在しない場合等のように、要求した情報項目を満たしていない場合は(ステップＳ１２３でＮＯ)、携帯端末２との接続を切断する。
【００７５】
要求した情報項目を満たしている場合は(ステップＳ１２３でＹＥＳ)、認証成功となり、ステップＳ１２４で未受信の認証種別の有無を調べ、未受信の認証種別が存在する場合(ステップＳ１２４でＹＥＳ)、ステップＳ１２１に戻り、次の種別の認証情報を要求する。未受信の認証種別が存在しなければ(ステップＳ１２４でＮＯ)、つまり全ての種別の認証情報を受信している場合は、認証処理を終了する。
【００７６】
図１０は、携帯端末２から接続要求があったときに、この実施形態に係るＭＦＰ１と携帯端末２との間で複数の種別の認証を実施する場合の動作を説明するための図である。
【００７７】
この実施形態では、まずＩＰＰ認証が成功したことを条件として、ユーザー認証と部門認証を行う設定となされている。
【００７８】
ＭＦＰ１の制御部１００は、携帯端末２からＩＰＰ接続要求を受けると(ステップＳ０１)、ＩＰＰ認証情報を携帯端末２に要求する(ステップＳ０２)。
【００７９】
携帯端末２のユーザーが、固定されたＩＰＰ認証情報３００をＭＦＰ１に送信すると(ステップＳ０３)、制御部１００は受信したＩＰＰ認証情報３００を、第１認証照合用データ３０１と照合することにより、第１認証（ＩＰＰ認証）を行う(ステップＳ０４)。照合の結果、両データが一致すると第１認証成功となるが、ＭＦＰ１は次のユーザー認証のために携帯端末２に対して次のＩＰＰ認証情報を要求する(ステップＳ０７)。
【００８０】
この要求に対して、携帯端末２のユーザーが、ユーザー識別情報とパスワードを含むユーザー認証情報４００をＭＦＰ１に送信すると(ステップＳ０８)、制御部１００は受信したユーザー認証情報４００を第２認証照合用データ４０１と照合する(ステップＳ０９)。つまり第２認証(ユーザー認証）が行われる。照合の結果、両データが一致すると認証成功となるが、ＭＦＰ１は次の部門認証のために携帯端末２に対して次のＩＰＰ認証情報を要求する(ステップＳ１０)。
【００８１】
この要求に対して、携帯端末２のユーザーが、部門識別情報とパスワードを含む部門認証情報４１０をＭＦＰ１に送信すると(ステップＳ１１)、制御部１００は受信した部門認証情報４１０を部門認証照合用データ４１１と照合する(ステップＳ１２)。つまり部門認証が行われる。照合の結果、両データが一致すると認証成功となり、携帯端末２に接続を許可する(ステップＳ１３）。
【００８２】
このように、複数の種別の認証が行われる場合には、ＭＦＰ１は１つの種別の認証が成功するたびに次のＩＰＰ認証情報を携帯端末２に要求し、この要求に応答して携帯端末２から送信された認証情報を用いてユーザー認証を含む複数の種別の認証を行うことができる。
【００８３】
なお、図１０において、ＩＰＰ認証を実行することなく、ユーザー認証と部門認証のみを順番に実行する設定であっても良い。
【００８４】
ところで、ＭＦＰ１に合わせたプリンタドライバやプリントアプリケーションを介して提供される印刷データには、ＰＪＬにてユーザー識別情報が付与されている。しかし、前述したように、AirPrintあるいはMopria Plug-inといった携帯端末２のＯＳ標準の印刷機能を利用する場合は、ＩＰＰによってＭＦＰ１への接続要求を行うため、ユーザー識別情報や部門情報を付与することができない。このため、携帯端末２からの接続要求が、ＭＦＰ１と接続可能な複数のプロトコルのうち特定のプロトコル例えばＩＰＰによって行われた場合にのみ、ＭＦＰ１はＩＰＰ認証情報を携帯端末２に要求し、この認証情報に基づいてユーザー認証情報や部門認証情報を行う構成としても良い。
【００８５】
図１１は、携帯端末２からの接続要求がＩＰＰによって行われた場合にのみ、ＩＰＰ認証情報を要求し、この認証情報に基づいてユーザー認証や部門認証を行う場合のＭＦＰ１の動作を示すフローチャートである。
【００８６】
ステップＳ１３１では、ＩＰＰ接続要求かどうかを判断し、ＩＰＰ接続要求であれば(ステップＳ１３１でＹＥＳ)、ステップＳ１３２でＩＰＰ認証情報を要求する。ステップＳ１３３では、認証情報を受信したかどうかを調べ、受信していなければ(ステップＳ１３３でＮＯ)、受信するまで待つ。受信すると(ステップＳ１３３でＹＥＳ)、ステップＳ１３４でユーザー認証照合用データ４０１を参照した後、ステップＳ１３５で認証成功か否かを判定する。
【００８７】
認証成功であれば(ステップＳ１３５でＹＥＳ)、ステップＳ１３６で携帯端末２との接続を許可する。認証失敗であれば(ステップＳ１３５でＹＥＳ)、ステップＳ１３７で携帯端末２との接続を切断する。
【００８８】
ステップＳ１３１でＩＰＰ接続でなければ(ステップＳ１３１でＮＯ)、ステップＳ１３８でＩＰＰ接続以外の接続に対して従来行われている接続処理を実施する。
【００８９】
次に、この発明のさらに他の実施形態を説明する。この実施形態では、予め設定された規則に基づいて複数の単位認証情報が結合された１つの認証情報から、各単位認証情報を抽出し、該抽出された各単位認証情報に基づいて異なる種別の認証を行うものである。
【００９０】
図１２に、複数の単位認証情報が結合された１つの認証情報４２０を示す。この認証情報４２０はユーザー名（Ｎａｍｅ）とパスワード（Ｐａｓｓｗｏｒｄ）から構成されるが、ユーザー名及びパスワードのそれぞれに、複数の単位認証情報が含まれている。
【００９１】
具体的には、ユーザー名の欄には単位認証情報である「Ｓｕｚｕｋｉ」と「ＧｒｏｕｐＡ」が、予め設定された結合子としての区切り文字である「：」を介して結合されている。また、パスワードの欄には単位認証情報である「００００１１１１」と「００００２２２２」が、予め設定された結合子である「：」を介して結合されている。ＭＦＰ１はこの認証情報のユーザー名及びパスワードから各単位認証情報を分離抽出し、ユーザー識別情報が「Ｓｕｚｕｋｉ」、そのパスワードが「００００１１１１」であり、部門情報が「ＧｒｏｕｐＡ」、そのパスワードが「００００１１１１」であると認識する。そして、抽出された単位認証情報を用いてユーザー認証及び部門認証を行う。
【００９２】
図１３は、図１２に示したような複数の単位認証情報が含まれている認証情報から単位認証情報を分離抽出して、ユーザー認証及び部門認証を行う場合に、ＭＦＰ１と携帯端末２との間で行われる動作を説明するための図である。
【００９３】
ＭＦＰ１の制御部１００は、携帯端末２からＩＰＰ接続要求を受けると(ステップＳ０１)、ＩＰＰ認証情報を携帯端末２に要求する(ステップＳ０２)。
【００９４】
携帯端末２のユーザーが、固定されたＩＰＰ認証情報３００をＭＦＰ１に送信すると(ステップＳ０３)、制御部１００は受信したＩＰＰ認証情報３００を、ＩＰＰ認証照合用データ３０１と照合することにより、ＩＰＰ認証を行う(ステップＳ０４)。照合の結果、両データが一致するとＩＰＰ認証成功となるが、ＭＦＰ１は次のユーザー認証のために携帯端末２に対して次のＩＰＰ認証情報を要求する(ステップＳ０７)。
【００９５】
この要求に対して、携帯端末２のユーザーが、複数の単位認証情報が結合された図１２に示した認証情報４２０をＭＦＰ１に送信すると(ステップＳ０８)、制御部１００は受信した認証情報４２０から単位認証情報を分離し、ユーザー識別情報「Ｓｕｚｕｋｉ」、そのパスワード「００００１１１１」というユーザー認証情報４２０ａと、部門識別情報「ＧｒｏｕｐＡ」、そのパスワード「００００１１１１」という部門認証情報４２０ｂを抽出する(ステップＳ１４）。
【００９６】
そして、ユーザー認証情報４２０ａを、ユーザー認証照合用データ４０１と照合してユーザー認証を行い(ステップＳ１５)、部門認証情報４２０ｂを部門認証照合用データ４１１と照合して部門認証を行う(ステップＳ１６)。照合の結果、ユーザー認証、部門認証共に認証成功となると、携帯端末２に接続を許可する(ステップＳ１７）。
【００９７】
このように、この実施形態では、複数の単位認証情報が結合された１つの認証情報から、複数の認証情報を分離抽出して複数の種別の認証を行うことができるから、その分携帯端末２への認証情報の要求回数を減らすことができ、処理が簡素になる。
【００９８】
次に、この発明のさらに他の実施形態を説明する。この実施形態では、予め設定された規則に基づいて認証種別情報と単位認証情報が結合された１つの認証情報から、認証種別情報と単位認証情報を抽出し、該抽出された単位認証情報に基づいて、前記抽出された認証種別情報で示される種別の認証を行うものである。
【００９９】
図１４に、認証種別情報と単位認証情報が結合された２つの認証情報４３０、４４０を示す。各認証情報４３０、４４０はそれぞれユーザー名（Ｎａｍｅ）とパスワード（Ｐａｓｓｗｏｒｄ）から構成されるが、ユーザー名及びパスワードのそれぞれに、認証種別情報と単位認証情報が含まれている。
【０１００】
具体的には、認証情報４３０では、ユーザー名の欄には認証種別情報である「Ｕｓｅｒ」と単位認証情報である「Ｓｕｚｕｋｉ」が、予め設定された結合子としての区切り文字である「：」を介して結合されている。また、パスワードの欄には認証種別情報である「Ｕｓｅｒ」と単位認証情報である「００００１１１１」が、予め設定された結合子である「：」を介して結合されている。
【０１０１】
ＭＦＰ１は認証情報４３０から認証種別情報及び単位認証情報を分離抽出し、認証種別がユーザー認証（Ｕｓｅｒ）、ユーザー識別情報が「Ｓｕｚｕｋｉ」、そのパスワードが「００００１１１１」であることを認識する。
【０１０２】
一方、認証情報４４０では、ユーザー名の欄には認証種別情報である「Ｐｒｏｊｅｃｔ」と単位認証情報である「ＰｒｏｊｅｃｔＢ」が、予め設定された結合子としての区切り文字である「：」を介して結合されている。また、パスワードの欄には認証種別情報である「Ｐｒｏｊｅｃｔ」と単位認証情報である「００００３３３３」が、予め設定された結合子である「：」を介して結合されている。
【０１０３】
ＭＦＰ１は認証情報４４０から認証種別情報及び単位認証情報を分離抽出し、認証種別がプロジェクト認証（Ｐｒｏｊｅｃｔ）、プロジェクト名が「ＰｒｏｊｅｃｔＢ」、そのパスワードが「００００３３３３」であることを認識する。
【０１０４】
そして、抽出された認証種別情報と単位認証情報を用いてユーザー認証及びプロジェクト認証を行う。
【０１０５】
図１５は、図１４に示したような認証種別情報と単位認証情報が含まれている認証情報から認証種別情報及び単位認証情報を分離抽出して、ユーザー認証及びプロジェクト認証を行う場合に、ＭＦＰ１と携帯端末２との間で行われる動作を説明するための図である。
【０１０６】
ＭＦＰ１の制御部１００は、携帯端末２からＩＰＰ接続要求を受けると(ステップＳ０１)、ＩＰＰ認証情報を携帯端末２に要求する(ステップＳ０２)。
【０１０７】
携帯端末２のユーザーが、固定されたＩＰＰ認証情報３００をＭＦＰ１に送信すると(ステップＳ０３)、制御部１００は受信したＩＰＰ認証情報３００を、ＩＰＰ認証照合用データ３０１と照合することにより、ＩＰＰ認証を行う(ステップＳ０４)。照合の結果、両データが一致するとＩＰＰ認証成功となるが、ＭＦＰ１は次のユーザー認証のために携帯端末２に対してＩＰＰ認証情報を要求する(ステップＳ０７)。
【０１０８】
この要求に対して、携帯端末２のユーザーが、認証種別情報と単位認証情報であるユーザー名及びパスワードを含む図１４に示した認証情報４３０をＭＦＰ１に送信すると(ステップＳ０８)、制御部１００は受信した認証情報４３０から認証種別情報と単位認証情報を分離する(ステップＳ１８)。そして分離した認証種別情報である「Ｕｓｅｒ」から、認証情報４３０がユーザー認証のための認証情報であることを認識し(ステップＳ１９)、またこの認証情報４３０からユーザー識別情報「Ｓｕｚｕｋｉ」、パスワード「００００１１１１」の認証情報４３０ａを抽出する。
【０１０９】
そして、認証情報４３０ａを、ユーザー認証照合用データ４０１と照合してユーザー認証を行う(ステップＳ２０)。認証成功の場合は、次のＩＰＰ認証情報を要求する(ステップＳ２１）。
【０１１０】
この要求に対して、携帯端末２のユーザーが、認証種別情報と単位認証情報が結合された図１４に示した認証情報４４０をＭＦＰ１に送信すると(ステップＳ２２)、制御部１００は受信した認証情報４４０から認証種別情報と単位認証情報を分離する(ステップＳ２３)。そして分離した認証種別情報である「Ｐｒｏｊｅｃｔ」から、認証情報４４０がプロジェクト認証のための情報であることを認識し(ステップＳ２４)、またこの認証情報４４０からプロジェクト名「ＰｒｏｊｅｃｔＢ」、パスワード「００００３３３３」の認証情報４４０ａを抽出する。
【０１１１】
そして、この認証情報４４０ａを、プロジェクト認証照合用データ４４１と照合してプロジェクト認証を行う(ステップＳ２５)。認証成功の場合は、携帯端末２に接続を許可する(ステップＳ２６）。
【０１１２】
このように、この実施形態では、認証種別情報と単位認証情報が結合された認証情報から、認証種別情報と単位認証情報を分離抽出して認証を行うから、複数の認証種別の認証を行う場合に、その順番を予め設定しておく必要がなくなり、その分処理が簡素化される。
【０１１３】
図１６は、この発明のさらに他の実施形態を示すもので、ＭＦＰ１の動作を示すフローチャートである。この例では、ユーザーを識別するための認証の失敗許容回数を予め設定しておき、失敗許容回数に達するまでは携帯端末装置にＩＰＰ認証情報を繰り返して要求するようになっている。
【０１１４】
ステップＳ１４１で、ＭＦＰ１は携帯端末２に対してＩＰＰ認証情報の送信を要求する。ステップＳ１４２では、認証情報を受信したかどうかを判断し、受信しなければ(ステップＳ１４２でＮＯ)、受信するまで待つ。受信すると(ステップＳ１４２でＹＥＳ)、ステップＳ１４３で、認証成功かどうかを判断する。認証成功の場合は(ステップＳ１４３でＹＥＳ)、ステップＳ１４４で携帯端末２との接続を許可する。
【０１１５】
ステップＳ１４４で認証失敗の場合(ステップＳ１４３でＮＯ)、ステップＳ１４５で失敗許容回数に達したかどうかを判定する。達していなければ(ステップＳ１４５でＮＯ)、ステップＳ１４１に戻り、ＩＰＰ認証情報の要求を繰り返す。失敗許容回数に達すると(ステップＳ１４５でＹＥＳ)、携帯端末２との接続を切断する。
【０１１６】
以上説明した実施形態では、ＩＰＰ認証情報の送信要求に応答して携帯端末２から送信されてきた認証情報を利用して、ユーザーを識別するためのユーザー認証、部門認証、プロジェクト認証などが行われるが、予定された認証が全て成功した後に、図１７に示すように携帯端末２からプリントデータが送信される(ステップＳ３１)。ＭＦＰ１の制御部１００はこのプリントデータを受信して、画像出力装置１４０に印刷を実行させる(ステップＳ３２)。
【０１１７】
また、図１８に示すように、プリントデータが送信された(ステップＳ３３)後に、ＭＦＰ１の制御部１００はプリントデータを該当するユーザーの認証情報と結合(マージ)して結合データ５００とし、この結合データ５００を固定記憶装置１１０等に保存しても良い。
【０１１８】
なお、図１７及び図１８に示したステップ０１〜ステップ０５は、図６に示したステップ０１〜ステップ０５と同じであるので詳細な説明は省略する。
【０１１９】
また、図１７及び図１８において、ＭＦＰ１の制御部１００は、携帯端末２のユーザーによって指示される印刷ジョブがユーザー権限内の印刷ジョブかどうかを判定し、ユーザー権限内の印刷ジョブである場合に、プリントジョブを受信する構成としても良い。
【符号の説明】
【０１２０】
１      画像処理装置
１００  制御部
１０１  ＣＰＵ
１０２  ＲＯＭ
１０３  ＲＡＭ
１６０  ネットワークインターフェース
１７０  ワイヤレスインターフェース
２      携帯端末装置
【図１】
0006319227.tif 000002
【図２】
0006319227.tif 000003
【図３】
0006319227.tif 000004
【図４】
0006319227.tif 000005
【図５】
0006319227.tif 000006
【図６】
0006319227.tif 000007
【図７】
0006319227.tif 000008
【図８】
0006319227.tif 000009
【図９】
0006319227.tif 000010
【図１０】
0006319227.tif 000011
【図１１】
0006319227.tif 000012
【図１２】
0006319227.tif 000013
【図１３】
0006319227.tif 000014
【図１４】
0006319227.tif 000015
【図１５】
0006319227.tif 000016
【図１６】
0006319227.tif 000017
【図１７】
0006319227.tif 000018
【図１８】
0006319227.tif 000019